(57)【特許請求の範囲】
【請求項１】
光を照射する一つまたは複数の光照射手段と、
前記光照射手段の前記光を検出する一つまたは複数の光検出手段と、
前記光照射手段と前記光検出手段とを被検体に装着するための装着手段と、
前記光検出手段により検出された検出値に基づいて、前記光照射手段と前記光検出手段の前記被検体に対する装着状態を算出する解析手段と、
前記被検体に装着された前記装着手段上、もしくは前記光照射手段上、もしくは前記光検出手段上に設置され、前記装着状態を光もしくは音声を用いて出力する出力手段と、
を有することを特徴とする生体光計測装置。
【請求項２】
前記解析手段は、前記光照射手段または前記光検出手段と前記被検体との間の毛髪の有無を判定する、
ことを特徴とする請求項１に記載の生体光計測装置。
【請求項３】
前記装着状態を確かめるための光照射器を有し、
前記解析手段は、前記光検出手段が検出する所定の期間における前記光照射器からの光量を用いて、前記装着状態を算出する、
ことを特徴とする請求項１に記載の生体光計測装置。
【請求項４】
前記装着状態を、前記光照射手段と前記光検出手段の両方の前記出力手段に出力する、ことを特徴とする請求項１に記載の生体光計測装置。
【請求項５】
前記出力手段は、心拍の有無、光量の増減、呼吸成分の増減のうちの少なくとも１つを出力可能である、
ことを特徴とする請求項１に記載の生体光計測装置。
【請求項６】
光を照射する一つまたは複数の光照射手段と、
前記光照射手段の前記光を検出する一つまたは複数の光検出手段と、
前記光照射手段と前記光検出手段とを被検体に装着するための装着手段と、
前記光検出手段により検出された検出値を情報処理装置に送信し、前記情報処理装置から前記検出値に基づいて算出される前記光照射手段と前記光検出手段の前記被検体に対する装着状態を受信する通信手段と、
前記被検体に装着された前記装着手段上、もしくは前記光照射手段上、もしくは前記光検出手段上に設置され、前記装着状態を光もしくは音声を用いて出力する出力手段と、
を有することを特徴とする生体光計測装置。
【請求項７】
コンピュータが、
光を照射する一つまたは複数の光照射手段と、前記光照射手段の前記光を検出する一つまたは複数の光検出手段と、前記光照射手段と前記光検出手段とを被検体に装着するための装着手段と、前記被検体に装着された前記装着手段上、もしくは前記光照射手段上、もしくは前記光検出手段上に設置され、光若しくは音声を出力する出力手段とを備える生体光計測装置の前記光検出手段によって検出された検出値に基づいて、前記光照射手段と前記光検出手段の前記被検体に対する装着状態を算出し、
前記装着状態を光もしくは音声を用いて前記出力手段に出力させる、
ことを実行するための情報処理プログラム。
【請求項８】
コンピュータが、
光を照射する一つまたは複数の光照射手段と、前記光照射手段の前記光を検出する一つまたは複数の光検出手段と、前記光照射手段と前記光検出手段とを被検体に装着するため
の装着手段と、前記被検体に装着された前記装着手段上、もしくは前記光照射手段上、もしくは前記光検出手段上に設置され、光若しくは音声を出力する出力手段とを備える生体光計測装置の前記光検出手段によって検出された検出値に基づいて、前記光照射手段と前記光検出手段の前記被検体に対する装着状態を算出し、
前記装着状態を光もしくは音声を用いて前記出力手段に出力させる、
ことを実行する情報処理方法。
【発明の詳細な説明】
【技術分野】
【０００１】
本発明は、生体光計測装置、情報処理プログラム、情報処理方法に関する。
【背景技術】
【０００２】
従来から、ヘッドセットと呼ばれる頭部に装着され、複数のプローブを有する生体光計測装置に、近赤外線照射部と近赤外線検出部を設け、脳表面の血流量の変化を検出し、検出されたデータをデータ処理装置で処理することで、脳の活動状態を示す情報を取得する情報処理システムが提供されている。
【先行技術文献】
【特許文献】
【０００３】
【特許文献１】特開２００５−１３４６４号公報
【特許文献２】特開２０１２−１６１３７５号公報
【発明の概要】
【発明が解決しようとする課題】
【０００４】
生体光計測装置では、プローブの装着状態により計測の質が左右されることがあった。頭部に装着されるプローブの装着状態を、外部から目視等によって、確認することは難しい。計測の質の安定化のため、計測前のプローブの装着の効率化が求められている。そこで、生体計測装置を装着する際、プローブの装着状態を、通知することが求められている。
【０００５】
本発明は、装置の頭部への装着状態を出力する生体光計測装置を提供することを目的とする。
【課題を解決するための手段】
【０００６】
上記課題を解決するために、以下の手段を採用する。
即ち、第１の態様は、
光を照射する一つまたは複数の光照射手段と、
前記光照射手段の前記光を検出する一つまたは複数の光検出手段と、
前記光照射手段と前記光検出手段とを被検体に装着するための装着手段と、
前記光検出手段により測定された検出値に基づいて、前記光照射手段と前記光検出手段の前記被検体に対する装着状態を算出する解析手段と、
前記被検体に装着された前記装着手段上、もしくは前記光照射手段上、もしくは前記光検出手段上に設置され、前記装着状態を光もしくは音声を用いて出力する出力手段と、
を有することを特徴とする生体光計測装置である。
【０００７】
開示の態様は、プログラムが情報処理装置によって実行されることによって実現されてもよい。即ち、開示の構成は、上記した態様における各手段が実行する処理を、情報処理装置に対して実行させるためのプログラム、或いは当該プログラムを記録したコンピュータ読み取り可能な記録媒体として特定することができる。また、開示の構成は、上記した各手段が実行する処理を情報処理装置が実行する方法をもって特定されてもよい。開示の構成は、上記した各手段が実行する処理を行う情報処理装置を含むシステムとして特定されてもよい。
【０００８】
プログラムを記述するステップは、記載された順序に沿って時系列的に行われる処理はもちろん、必ずしも時系列的に処理されなくても、並列的または個別に実行される処理を
含む。プログラムを記述するステップの一部が省略されてもよい。
【発明の効果】
【０００９】
本発明によれば、装置の頭部への装着状態を通知する生体光計測装置を提供することができる。
【図面の簡単な説明】
【００１０】
【図１】図１は、本発明の一実施形態に係る情報処理システムの情報処理に関与する構成を例示する図である。
【図２】図２は、頭部装着装置の構成例を示す図である。
【図３】図３は、利用者端末の構成例を示す図である。
【図４】図４は、頭部装着装置を利用者の頭部に装着した状態の例を示す図である。
【図５】図５は、頭部装着装置の他の構成例を示す図である。
【図６】図６は、情報処理システムの動作フローの例を示す図である。
【発明を実施するための形態】
【００１１】
以下、図面を参照して実施形態について説明する。実施形態の構成は例示であり、発明の構成は、開示の実施形態の具体的構成に限定されない。発明の実施にあたって、実施形態に応じた具体的構成が適宜採用されてもよい。
【００１２】
〔実施形態〕
（構成例）
図１は、本発明の一実施形態に係る情報処理システムの情報処理に関与する構成を例示する図である。図１のように、本情報処理システムは、頭部装着装置１０と利用者端末２０とを有する。本情報処理システムは、利用者の頭部から血流量の変化を示す計測データ（検出値ともいう）を検出し、利用者の脳の活動状態を示す脳活動情報を取得する。本情報処理システムは、生体光計測装置の一例である。利用者は、被検体の一例である。
【００１３】
図２は、頭部装着装置の構成例を示す図である。頭部装着装置１０は、情報処理の側面としては、制御部１１と、無線通信部１３と、センサ１４１、１４２と、出力部１５を有する。センサ１４１、１４２を区別しない場合は、センサ１４１、１４２を総称して、センサ１４という。制御部１１は、頭部装着装置１０の計測と通信を制御する。制御部１１は、例えば、ＣＰＵ(Central Processing Unit)、あるいはＤＳＰ（Data Signal Processor）等のプロセッサとメモリとを有し、メモリ上に実行可能に展開されたコンピュータプログラム、ファームウェア等により処理を実行する。ただし、制御部１１は、無線通信部１３とセンサ１４１、１４２、出力部１５を起動し、各構成要素との連携処理を実行する専用のハードウェア回路、ＦＰＧＡ（Field Programmable Gate Array）等であってもよ
い。また、制御部１１は、ＣＰＵ、ＤＳＰ、専用のハードウェア回路等が混在したものであってもよい。ここでは、頭部装着装置１０が２個のセンサ１４１、１４２を有するとしているが、頭部装着装置１０が、３個以上のセンサ１４を有してもよい。
【００１４】
無線通信部１３は、所定のインターフェースによって、制御部１１およびセンサ１４１、１４２、出力部１５と接続される。ただし、無線通信部１３は、制御部１１を介して、センサ１４１、１４２からデータを取得する構成であってもよい。無線通信部１３は、ネットワークＮ１を介して、利用者端末２０と通信する。ネットワークＮ１は、例えば、Bluetooth（登録商標）、無線ＬＡＮ（Local Area Network）、ZigBee等の規格にしたがっ
たネットワークワークである。無線通信部１３が転送手段の一例である。ただし、本情報処理システムにおいて、無線通信部１３の無線インターフェースの規格が限定されるものではない。
【００１５】
２台の頭部装着装置１０−１、１０−２（図示なし）がある場合において、ネットワークＮ１での通信時、通信ヘッダのヘッダ部分、あるいは、通信データ中の利用者データ部分（ペイロード部分）に、頭部装着装置１０−１、１０−２を識別する識別子を埋め込んで、利用者端末２０が利用者（被験者）を識別できるようにする。
【００１６】
また、本情報処理システムにおいて、無線通信部１３に代えて、あるいは、無線通信部１３とともに有線で通信を行う通信部を設けてもよい。すなわち、頭部装着装置１０と利用者端末２０とが有線通信のインターフェースで接続されてもよい。この場合の有線通信のインターフェースに限定がある訳ではなく、情報処理システムの用途に応じてＵＳＢ（Universal Serial Bus）、PCI Express等の各種インターフェースを使用できる。
【００１７】
センサ１４は、近赤外線を頭部に照射し、脳の大脳皮質付近で一部吸収されて散乱された近赤外線を受光し、電気信号に変換する。脳の大脳皮質は、例えば、脳の活動状態に応じて、血流量が異なる。その結果、大脳皮質の各部において、血液中の酸素と結合したヘモグロビンの量と、酸素と結合していないヘモグロビンの量が変化する。ヘモグロビンの量の変化、酸素量の変化等に起因して、大脳皮質付近での近赤外線の吸収特性、あるいは、散乱特性が変化する。センサ１４は、このような大脳皮質付近の血流の状態に応じた近赤外線吸収率の変化あるいは透過率の変化により光量が変化する近赤外線を電気信号に変換して出力する。各センサ１４は、例えば、識別子によって識別される。
【００１８】
センサ１４は、例えば、近赤外線を照射する近赤外線光源と、近赤外線を受光する受光部を含む。近赤外線光源は、例えば、ＬＥＤ（Light Emitting Diodes）、赤外線ランプ
等である。また、受光部は、フォトダイオード、フォトトランジスタ等の光電素子と、増幅器と、ＡＤ（Analog Digital）コンバータとを含む。なお、近赤外線光源と受光部とが対にして設けられなくてもよい。例えば、１つの近赤外線光源に対して、複数の受光部を設けてもよい。受光部は光検出手段の一例である。また、センサ１４は、装着状態検出用の光源を、さらに、有してもよい。装着状態検出用の光源は、例えば、ＬＥＤ等である。センサ１４が装着状態検出用の光源を有しない場合、装着状態検出用の光源は、近赤外線光源で代用される。各光源は、光照射手段の例である。
【００１９】
出力部１５は、例えば、ＬＥＤ等の発光素子、または、音響あるいは音声を出力するスピーカ等であり、制御部１１からの出力情報を表示する。出力部１５は、センサ１４１、１４２の頭部への装着状態を光または音声によって出力する。出力部１５は、振動を出力するバイブレータであってもよい。出力部１５は、各センサ１４に、それぞれ、設けられてもよい。
【００２０】
利用者端末２０は、頭部装着装置１０から、利用者の大脳皮質付近での近赤外線の吸収率または透過率の変化データを取得し、利用者の脳の活動状態に関連する様々な情報処理を含むサービスを提供する。利用者端末２０は、情報処理装置（コンピュータ）の一例である。利用者端末２０は、ＰＣ（Personal Computer）、スマートフォン、携帯電話、タ
ブレット型端末、カーナビゲーション装置、ＰＤＡ（Personal Digital Assistant）、ゲーム機（遊戯装置）のような専用または汎用のコンピュータ、あるいは、コンピュータを搭載した電子機器を使用して実現可能である。利用者端末２０は、例えば、フィットネスクラブ、学習塾などに設置され得る。
【００２１】
図３は、利用者端末の構成例を示す図である。利用者端末２０は、ＣＰＵ２１と、メモリ２２と、無線通信部２３と、公衆回線通信部２４と、表示部２５と、操作部２６と、出力部２７と、撮像部２８と、測位部２９と、物理センサ部２Ａを有する。ＣＰＵ２１は、メモリ２２に実行可能に展開されたコンピュータプログラムにより、利用者端末２０としての処理を実行する。利用者端末２０としての処理とは、例えば、上記利用者の脳の活動
状態に関連する様々な情報処理を含むサービスである。このようなコンピュータプログラムを実行するＣＰＵ２１が解析手段の一例である。
【００２２】
メモリ２２は、ＣＰＵ２１で実行されるコンピュータプログラム、あるいは、ＣＰＵ２１が処理するデータを記憶する。メモリ２２は、揮発性メモリと不揮発性メモリを含んでよい。
【００２３】
無線通信部２３は、頭部装着装置１０の無線通信部１３と同様である。無線通信部２３が受信手段の一例である。また、利用者端末２０は、無線通信部２３に代えて、あるいは、無線通信部２３とともに有線で通信を行う通信部を有してもよい。
【００２４】
公衆回線通信部２４は、ネットワークＮ２を介して、ネットワークＮ２上のサーバ、例えば、サーバ（演算装置）３等と通信する（図示なし）。ネットワークＮ２は、公衆回線網であり、例えば、携帯電話網である。ネットワークＮ２が携帯電話網である場合には、公衆回線通信部２４は、携帯電話網の基地局を介してネットワークＮ２に接続する。ただし、ネットワークＮ２は、インターネット接続業者の通信装置へのアクセス網とインターネットを含むネットワークであってもよい。インターネット接続業者の通信装置へのアクセス網は、例えば、通信事業者が提供する光ネットワーク、ＡＤＳＬ（Asymmetric Digital Subscriber Line）等である。ネットワークＮ２が公衆無線ネットワークの一例である。また、公衆回線通信部２４が公衆無線通信手段の一例である。ただし、本情報処理システムにおいて、ネットワークＮ２が公衆回線網に限定される訳ではなく、例えば、ＬＡＮ(Local Area Network)等の構内ネットワーク、企業、事業者、役所、学校、研究機関等の専用回線、ＶＰＮ(Virtual Private Network)等の広域ネットワークであってもよい。以
下、企業、事業者、役所、学校、研究機関等を企業等ともいう。
【００２５】
表示部２５は、例えば、液晶ディスプレイ、ＥＬ（Electro-Luminescence）パネル等であり、ＣＰＵ２１からの出力情報を表示する。操作部２６は、例えば、押しボタン、タッチパネル等であり、利用者の操作を受け付ける。出力部２７は、例えば、振動を出力するバイブレータ、音響あるいは音声を出力するスピーカ等である。撮像部２８は、例えば、固体撮像素子を含むカメラである。固体撮像素子としては、ＣＣＤ（Charge-coupled device）イメージセンサ、ＣＭＯＳ（Complementary Metal Oxide Semiconductor）イメージセンサ等を利用できる。
【００２６】
測位部２９は、例えば、ＧＰＳ（Global Positioning System）受信機であり、ＧＰＳ
衛星からの電波を受信し、現在位置（緯度、経度等）、時刻等を算出する。ただし、測位部２９としては、ＧＰＳ受信機を有するものに限定される訳ではない。例えば、公衆回線通信部２４が携帯電話網である場合には、測位部２９は、携帯電話基地局からの距離を基に測位を実行してもよい。
【００２７】
物理センサ部２Ａは、例えば、加速度センサ、あるいは角加速度センサ等である。ただし、物理センサ部２Ａは、温度センサ、湿度センサ、気圧センサ、または水圧センサであってもよい。
【００２８】
〈頭部装着装置の例〉
図４は、頭部装着装置１０を利用者の頭部に装着した状態の例を示す図である。頭部装着装置１０は、図４の例に限定されるものではなく、他の形状もとり得る。図４の例では、頭部装着装置１０は、装着ベルト、制御ボックス、センサ１４、出力部１５を含む。装着ベルトは、鉢巻き状に利用者の頭部に巻き付けられて装着される。装着ベルトは、頭部の一部又は全部を覆う弾性体で構成され、通常時、利用者の頭部よりも小さい大きさであり、装着時に伸長して、利用者の頭部に合わせられ、利用者の頭部と密着する。装着ベル
トには、ハウジング、複数のセンサ１４が取り付けられている。ハウジングには、制御部１１、無線通信部１３等の制御基板、頭部装着装置１０を駆動する電源（電池）等が含まれる。各センサ１４には、それぞれ、出力部１５が取り付けられている。各センサ１４及び各出力部１５は、それぞれ制御ボックスに接続されている。装着ベルトにはセンサ１４を取り付けられる開口部があり、センサ１４の光源は、利用者の頭部に光を照射できるように取り付けられている。また、センサ１４の受光部は、利用者の頭部で反射される光を照射できるように取り付けられている。また、出力部１５は、ＬＥＤ等の光源であり、発光する光を外部から視認できるように取り付けられる。
【００２９】
各センサ１４は、断面が多角形状または円形状の柱状ハウジングを含む。柱状ハウジングの一方の断面に光源又は受光部を含むセンサ１４、他方の断面に出力部１５が取り付けられている。断面の形状は、例えば、六角形状、八角形状、四角形状、円形状等がある。
【００３０】
頭部装着装置１０では、装着ベルトに柱状ハウジングをはめ込む孔が、柱状ハウジングの断面形状と同じ形状で、蜂の巣形状（または、市松模様状）に配置されている。孔の配置はこれに限定されるものではない。これらの孔に柱状ハウジングをはめ込むことで、センサ１４が装着ベルトの長手方向に対して、１列毎に隣接する２つのセンサ１４の間に配置され、複数列並べた態様をとる。
【００３１】
図５は、頭部装着装置１０の他の構成例を示す図である。図５の例では、頭部装着装置１０の一部分の構成例を示す。図５の例では、頭部装着装置１０は、鉢巻形状であり、装着ベルトに、ハウジング、センサ１４等を含む柱状ハウジングが取り付けされる。柱状ハウジングは、蜂の巣形状に配置されて、装着ベルトの長手方向に複数列並べられている。図５の頭部装着装置１０は、鉢巻き状に利用者の頭部に巻きつけて装着されて、利用者の頭部に固定される構造を有する。
【００３２】
（動作例）
本情報処理システムでは、利用者端末２０のＣＰＵ２１がメモリ２２に実行可能に展開された位置合わせ用アプリケーションプログラム（以下、位置合わせアプリ）にしたがって、利用者によるセンサ１４の位置合わせを支援する。利用者端末２０が利用者による各センサ１４の位置合わせを支援する処理をキャリブレーションとも呼ぶ。キャリブレーションによって、利用者端末２０は各センサ１４が利用者の頭部の望ましい位置に配置されるように利用者をガイドする。適切なキャリブレーションが行われた場合には、各センサ１４が利用者頭部の望ましい位置で血流量の変化を検出することになる。
【００３３】
図６は、情報処理システムの動作フローの例を示す図である。ここでは、利用者の頭部に、頭部装着装置１０が装着されているとする。
【００３４】
Ｓ１０１では、利用者端末２０は、頭部装着装置１０の各センサ１４に、所定の光を照射することを指示する。頭部装着装置１０の制御部１１は、当該指示を受けると、各センサ１４に、所定の光を照射させる。各センサ１４は、光源により、所定の光を照射する。頭部装着装置１０が利用者の頭部に装着されている場合、センサ１４の光源からの光は、頭部で反射され、センサ１４の受光部で受光される。各センサ１４は、受光部で受光した光を電気信号に変換して出力する。頭部装着装置１０の制御部１は、各センサ１４で出力される電気信号を計測データ（検出値）に変換する。検出値は、受光部で受光される光の光量が多いほど、大きい値になる。頭部装着装置１０の制御部１１は、無線通信部１３を介して、検出値を、各センサ１４の識別子と対応付けて、利用者端末２０に送信する。ここで、検出値は、測定された値そのものであってもよいし、一定期間に測定された値をまとめた情報などでもよい。利用者端末２０は、無線通信部２３を介して、頭部装着装置１０からの信号を受信すると、受信した信号をメモリ２２に格納する。
【００３５】
利用者端末２０のＣＰＵ２１は、各センサ１４の検出値が、所定の範囲内（第１所定値以上第２所定値未満（第１所定値＜第２所定値））にあるか、第１所定値未満であるか、第２所定値以上であるかを判定する。センサ１４の検出値が、所定の範囲内にある場合、当該センサ１４は、適切に、頭部に装着されていると考えられる。センサ１４の検出値が第１所定値未満である場合、センサ１４の受光部に到達する光の光量が少ないと考えられる。即ち、センサ１４の検出値が第１所定値未満である場合、センサ１４の位置が頭部の表面から離れすぎている、センサ１４と頭部との間（センサ１４の光源と頭部との間、または、センサ１４の受光部と頭部との間）に毛髪が多く挟まれている等の、センサ１４の装着が不適切であると考えられる。また、センサ１４の検出値が第２所定値以上である場合、センサ１４の受光部に到達する光の光量が多いと考えられる。即ち、センサ１４の検出値が第２所定値以上である場合、センサ１４の位置が頭部の表面から近づきすぎている、センサ１４と頭部との間に異物（例えば、光の反射率が高い物質）が存在する等の、センサ１４の装着が不適切であると考えられる。利用者端末２０は、センサ１４毎の判定結果を、メモリ２２に格納する。ここでは、検出値が第１所定値未満である場合を第１状態、検出値が所定の範囲内（第１所定値以上第２所定値未満）にある場合を第２状態、検出値が第２所定値以上である場合を第３状態とする。
【００３６】
Ｓ１０２では、利用者端末２０のＣＰＵ２１は、無線通信部２３を介して、センサ１４毎の判定結果を、頭部装着装置１０に送信する。頭部装着装置１０は、無線通信部１３を介して、センサ１４毎の判定結果を受信すると、判定結果を、出力部１５に出力する。例えば、センサ１４毎に光源としての出力部１５が備えられている場合、光によって、判定結果を表示する。このとき、例えば、出力部１５は、第１状態の場合、黄色、第２状態の場合、緑色、第３状態の場合、赤色を表示する。第２状態は良好であるため、一般に良好を示す緑色を表示する。頭部装着装置１０を装着された利用者や利用者の補助者は、出力部１５に表示される色を確認することで、頭部装着装置１０の装着状態を確認することができる。また、出力部１５に表示される色が、黄色や赤色である場合、頭部装着装置１０を装着された利用者や利用者の補助者は、センサ１４の位置等を調整することにより、センサ１４の位置を適切な位置に変更することができる。出力部１５によりどのセンサ１４が不適切に装着されているかを容易に認識することができる。
【００３７】
Ｓ１０３では、利用者端末２０のＣＰＵ２１は、すべてのセンサ１４の検出値が第２状態（良好）であるか否かを判定する。すべてのセンサ１４の検出値が良好である場合（Ｓ１０３；ＹＥＳ）、処理が終了する。いずれかのセンサ１４の検出値が良好でない場合（Ｓ１０３；ＮＯ）、処理がＳ１０１に戻る。すべてのセンサ１４の検出値が良好となるまで、処理が繰り返される。これによって、頭部装着装置１０の装着状態が正常でないセンサ１４の位置が容易に判別されるため、容易にセンサ１４の装着状態を調整することができる。センサ１４の取り付け状態を良好にすることで、脳活動状態の測定の際に、より正確な測定を行うことができる。
【００３８】
ここでは、利用者端末２０が、頭部装着装置１０の各センサ１４の検出値が良好であるか否かを判定したが、当該判定を、頭部装着装置１０の制御部１１で行ってもよい。このとき、頭部装着装置１０は、検出値を、利用者端末２０に送信しなくてもよい。頭部装着装置１０は、利用者端末２０を使用することなく、頭部装着装置１０の装着状態を、利用者等に通知することができる。
【００３９】
（変形例１）
上記の例では、出力部１５として、各センサ１４に取り付けられた光源を用いる例を示したが、ここでは、音声によって、装着状態を通知する例について説明する。変形例１は、上記の例と共通点を有するため、主として、相違点を説明する。
【００４０】
頭部装着装置１０の出力部１５は、スピーカを含む。スピーカは、例えば、図４のハウジングに取り付けられる。また、各センサ１４には、番号等の識別情報があらかじめ割り当てられている。各センサ１４には、外部から視認できるように、センサ１４の識別情報があらかじめ記載されている。
【００４１】
頭部装着装置１０は、無線通信部１３を介して、センサ１４毎の判定結果を受信すると、検出値が良好でないセンサ１４の番号等の識別情報を、出力部１５としてのスピーカから音声により出力する。これにより、頭部装着装置１０は、利用者等に、不適切な装着状態のセンサ１４を通知することができる。
【００４２】
（変形例２）
上記の例では、出力部１５として、各センサ１４に取り付けられた光源を用いる例を示したが、ここでは、振動によって、装着状態を通知する例について説明する。変形例２は、上記の例と共通点を有するため、主として、相違点を説明する。
【００４３】
頭部装着装置１０の出力部１５は、振動を出力するバイブレータを含む。バイブレータは、例えば、図４のハウジングに取り付けられる。頭部装着装置１０は、無線通信部１３を介して、センサ１４毎の判定結果を受信し、すべての判定結果が良好である場合、所定の態様の振動を、出力部１５としてのバイブレータにより出力する。これにより、頭部装着装置１０は、利用者等に、センサ１４の装着状態を通知することができる。利用者は振動を認識することにより、頭部装着装置１０を視認することなく、装着状態を認識することができる。頭部装着装置１０を装着した利用者は、所定の振動を認識するまで、頭部装着装置１０の装着状態を調整することで、良好な装着状態にすることができる。
【００４４】
（変形例３）
上記の例では、出力部１５として、各センサ１４に取り付けられた光源を用いる例を示したが、ここでは、頭部装着装置１０を装着された利用者に視認できる位置に光源を設置することによって、装着状態を通知する例について説明する。変形例３は、上記の例と共通点を有するため、主として、相違点を説明する。
【００４５】
頭部装着装置１０の出力部１５は、利用者が視認できる位置（利用者の目の上方に対応する位置）に取り付けられた光源を含む。頭部装着装置１０は、無線通信部１３を介して、センサ１４毎の判定結果を受信し、すべての判定結果が良好である場合、出力部１５として光源から緑色の光を出力する。また、頭部装着装置１０は、いずれかの判定結果が良好でない場合、出力部１５として光源から赤色の光を出力する。これにより、頭部装着装置１０は、利用者等に、センサ１４の装着状態を通知することができる。利用者は目の上方に対応する位置に取り付けられた光源の光を認識することにより、装着状態を認識することができる。頭部装着装置１０を装着した利用者は、光源の色が緑色になるまで、頭部装着装置１０の装着状態を調整することで、良好な装着状態にすることができる。
【００４６】
（変形例４）
上記の例では、各センサ１４に光源及び受光部が含まれる例を示したが、ここでは、センサ１４は、光源と受光部とに分かれ、それぞれに、出力部１５としての光源が取り付けられる例について説明する。変形例４は、上記の例と共通点を有するため、主として、相違点を説明する。
【００４７】
頭部装着装置１０は、無線通信部１３を介して、センサ１４毎の判定結果を受信すると、判定結果を、各出力部１５に出力する。このとき、例えば、出力部１５は、第１状態の場合、黄色、第２状態の場合、緑色、第３状態の場合、赤色を表示する。頭部装着装置１
０を装着された利用者や利用者の補助者は、出力部１５に表示される色を確認することで、頭部装着装置１０の装着状態を確認することができる。また、良好でないセンサ１４が所定値より少ない場合、又は、所定値より多い場合に、表示される色の点灯方法を変更する（例えば、点滅させる）ことによって、良好でないセンサ１４を目立たせることができる。
【００４８】
（変形例５）
上記の例では、出力部１５に装着状態を表示する例を示したが、ここでは、出力部１５に装着状態以外の情報を表示する例について説明する。変形例５は、上記の例と共通点を有するため、主として、相違点を説明する。
【００４９】
ここでは、頭部装着装置１０は、各センサ１４の検出値に応じた色を、各出力部１５に出力する。このとき、利用者端末２０または頭部装着装置１０が、検出値と色との対応テーブルを、当該対応テーブルに基づいて、各センサ１４に対応する出力部１５に、各センサ１４の検出値に対応する色を出力する。これにより、頭部装着装置１０の利用者等は、頭部装着装置１０の出力部１５によって、脳活動状態を認識することができる。
【００５０】
また、１つのセンサ１４に対して、複数の情報を表示できる出力部１５が取り付けられてもよい。このとき、センサ１４で検出される光量の変化、脳活動状態の検出値から抽出される心拍の有無、呼吸成分の変化等を出力部１５に表示させてもよい。これにより、頭部装着装置１０の利用者等は、頭部装着装置１０の出力部１５によって、脳活動状態に関する様々な情報を取得することができる。また、例えば、センサ１４毎に、心拍の情報が正常に表示されることによって、センサ１４の装着状態が良好であることを確認にすることができる。心拍の情報が正常に表示されるとは、例えば、心拍の周波数である１Ｈｚ程度の変動が表示されることである。センサ１４の装着状態が良好でない場合、心拍の情報が正常に表示されないからである。
【００５１】
実施形態、各変形例の構成は、可能な限り組み合わされて実施され得る。
【００５２】
（実施形態の作用、効果）
情報処理システムは、利用者に装着された頭部装着装置１０のセンサ１４の光源から、光を照射し、当該光が頭部によって反射される光を検出する。情報処理システムは、検出された光（検出値）に基づいて、頭部装着装置１０の装着状態を判定する。頭部装着装置１０は、各センサ１４の装着状態を出力部１５に表示する。頭部装着装置１０を装着された利用者や当該利用者の補助者は、出力部１５に表示された装着状態を認識することで、頭部装着装置１０の装着状態を調整することができる。装着状態が頭部装着装置１０の出力部１５に表示されることで、容易に頭部装着装置１０の装着状態を調整することができ、装着時間の短縮を図ることができる。
【００５３】
〈コンピュータ読み取り可能な記録媒体〉
コンピュータその他の機械、装置（以下、コンピュータ等）に上記いずれかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【００５４】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体内には、ＣＰＵ、メモリ等のコンピュータを構成する要素を設け、そのＣＰＵにプログラムを実行させてもよい。
【００５５】
また、このような記録媒体のうちコンピュータ等から取り外し可能なものとしては、例えばフレキシブルディスク、光磁気ディスク、ＣＤ−ＲＯＭ、ＣＤ−Ｒ／Ｗ、ＤＶＤ、ＤＡＴ、８mmテープ、メモリカード等がある。
【００５６】
また、コンピュータ等に固定された記録媒体としてハードディスクやＲＯＭ（Read Only memory）等がある。
【符号の説明】
【００５７】
１０        頭部装着装置
１１          制御部
１３          無線通信部
１４          センサ
１４１          センサ
１４２          センサ
１５          出力部
２０        利用者端末
２１          ＣＰＵ
２２          メモリ
２３          無線通信部
２４          公衆回線通信部
２５          表示部
２６          操作部
２７          出力部
２８          撮像部
２９          測位部
２Ａ          物理センサ部
【図１】
0006609737.tif 000002
【図２】
0006609737.tif 000003
【図３】
0006609737.tif 000004
【図４】
0006609737.tif 000005
【図５】
0006609737.tif 000006
【図６】
0006609737.tif 000007